(57)【特許請求の範囲】
【請求項１】
可撓性のある細長い棒状体の軸線方向に複数の貫通孔が穿設されたマルチルーメンチューブによって挿入部の少なくとも一部が形成された内視鏡の、上記貫通孔内に光学ファイババンドルを挿通するための内視鏡の組立方法において、
上記光学ファイババンドルの端面に接合された状態に組み立てられるべきレンズの裏面を上記光学ファイババンドルの端面に接着すると共に、上記光学ファイババンドルを牽引するための牽引ワイヤを上記レンズの表面に接合し、上記牽引ワイヤを上記マルチルーメンチューブの貫通孔内に通して引っ張ることにより上記光学ファイババンドルを上記貫通孔内に通した後、上記牽引ワイヤを上記レンズの表面から取り外すことを特徴とする内視鏡の組立方法。
【請求項２】
上記レンズがガラス製である請求項１記載の内視鏡の組立方法。
【請求項３】
上記光学ファイババンドルは、少なくとも上記貫通孔内に通される部分では外装チューブによって外装されておらず、上記光学ファイババンドルを構成する光学繊維が露出している請求項１又は２記載の内視鏡の組立方法。
【請求項４】
上記マルチルーメンチューブが上記挿入部の先端側の部分に設けられていて、それより手元側の部分においては、上記挿入部が筒状の可撓管によって外装されている請求項１、２又は３記載の内視鏡の組立方法。
【請求項５】
上記光学ファイババンドルがイメージガイドファイババンドルである請求項１、２、３又は４記載の内視鏡の組立方法。
【発明の詳細な説明】
【０００１】
【発明の属する技術分野】
この発明は、内視鏡の挿入部に用いられたマルチルーメンチューブに光学ファイババンドルを通すための内視鏡の組立方法に関する。
【０００２】
【従来の技術】
いわゆる親子式内視鏡のベビースコープのような極細の内視鏡等においては、小さな曲率半径で曲げられる部分で光学ファイババンドルその他の内蔵物が破損しないように、可撓性のある細長い棒状体の軸線方向に複数の貫通孔が穿設されたいわゆるマルチルーメンチューブを挿入部に用いて、内蔵物を各々独立して貫通孔内に挿通配置している。
【０００３】
したがって、組み立ての際には、マルチルーメンチューブの貫通孔内に光学ファイババンドルを通す必要がある。しかし、光学ファイババンドルを貫通孔内に押し込むと光学繊維を破損してしまうので、光学ファイババンドルの先端面に牽引ワイヤを固着し、牽引ワイヤをマルチルーメンチューブの貫通孔内に通して引っ張ることにより、貫通孔内に光学ファイババンドルを通している。
【０００４】
【発明が解決しようとする課題】
上述のようにして、マルチルーメンチューブの貫通孔内に光学ファイババンドルを通し終わったら、光学ファイババンドルの先端面から牽引ワイヤを取り外す必要がある。
【０００５】
その取り外しには溶剤等も利用されるが、最後は機械的手段によって剥離させる必要がある。そのため、牽引ワイヤ取り外しの際に光学ファイババンドルの端面に傷を付けて不良品にしてしまうことが少なくなかった。
【０００６】
そこで本発明は、挿入部を形成するマルチルーメンチューブ内に光学ファイババンドルを牽引ワイヤで引っ張って通しても、光学ファイババンドルの端面を傷つけるおそれのない内視鏡の組立方法を提供することを目的とする。
【０００７】
【課題を解決するための手段】
上記の目的を達成するため、本発明の内視鏡の組立方法は、可撓性のある細長い棒状体の軸線方向に複数の貫通孔が穿設されたマルチルーメンチューブによって挿入部の少なくとも一部が形成された内視鏡の、上記貫通孔内に光学ファイババンドルを挿通するための内視鏡の組立方法において、上記光学ファイババンドルの端面に接合された状態に組み立てられるべきレンズの裏面を上記光学ファイババンドルの端面に接着すると共に、上記光学ファイババンドルを牽引するための牽引ワイヤを上記レンズの表面に接合し、上記牽引ワイヤを上記マルチルーメンチューブの貫通孔内に通して引っ張ることにより上記光学ファイババンドルを上記貫通孔内に通した後、上記牽引ワイヤを上記レンズの表面から取り外すことを特徴とする。
【０００８】
なお、上記レンズがガラス製であるとよく、上記光学ファイババンドルは、少なくとも上記貫通孔内に通される部分では外装チューブによって外装されておらず、上記光学ファイババンドルを構成する光学繊維が露出していてもよい。
【０００９】
また、上記マルチルーメンチューブが上記挿入部の先端側の部分に設けられていて、それより手元側の部分においては、上記挿入部が筒状の可撓管によって外装されていてもよく、上記光学ファイババンドルがイメージガイドファイババンドルであってもよい。
【００１０】
【発明の実施の形態】
図面を参照して本発明の実施の形態を説明する。
図３は、いわゆる親子式内視鏡のベビースコープ２０を示し、図４は、ベビースコープ２０がマザースコープ１０のガイドチャンネル１１内に挿通された使用状態を示している。
【００１１】
ベビースコープ２０の挿入部２１は、細長くて全長にわたって可撓性を有しており、基端部に操作部が連結されて、先端部分には対物光学系等を内蔵した先端部本体２３が連結されている。
【００１２】
挿入部２１は全長が例えば１ｍ程度であり、マザースコープ１０の起上台１２部分を通過する先端側の部分（例えば長さ１０ｃｍ程度）は、小さな曲率半径で強制的に曲げられるので、マルチルーメンチューブ２４によって細い外径に形成され、残りの手元側の部分は、外面だけに壁部を有する単筒状の可撓管２２によって外装されて、マルチルーメンチューブ２４より太い外径に形成されている。
【００１３】
図５は、ベビースコープ２０の挿入部２１の先端部分を示している。
マルチルーメンチューブ２４は、柔軟で可撓性を有する合成樹脂製又はゴム製であり、細長い棒状体の素材に、図示されていないものも含めて四つの貫通孔が軸線方向に穿設されている。
【００１４】
図５には、チャンネル用孔２５とイメージガイドファイバ挿通孔２６が示されている。図示されていない二つの貫通孔は、照明用ライトガイドファイババンドル挿通孔である。
【００１５】
先端部本体２３には、マルチルーメンチューブ２４と同じ位置に同じ太さの孔２７，２８が穿設されていて、マルチルーメンチューブ２４側と先端部本体２３側とにまたがって差し込まれたパイプ材３２，３３によって、先端部本体２３とマルチルーメンチューブ２４とが繋がれている。その接続部は、全面において接着剤で水密に接合されている。なお、３３はイメージガイドファイババンドル３０の先端口金である。
【００１６】
イメージガイドファイババンドル３０の先端面（即ち、像入射端面）３０ａの前方には、対物レンズ４１，４２，４３が先端部本体２３内に配置されており、そのうちの第一レンズ４１と第二レンズ４２は鏡枠３５に固定されて先端部本体２３に接着され、第三レンズ４３は、裏面がイメージガイドファイババンドル３０の先端面３０ａに接合されている。３６は絞りである。
【００１７】
図６は、先端部本体２３を先端面から見た状態を示しており、第一レンズ４１の表面部である観察窓４０とチャンネル用孔２７の開口２７ａとが同一直径上に配置され、それと直角の直径上に照明窓３９，３９が配置されている。照明窓３９，３９内には、図示されていないライトガイドファイババンドルの射出端が配置されている。
【００１８】
図１及び図２は、上述のように構成されたベビースコープ２０を組み立てる際に、マルチルーメンチューブ２４のイメージガイド挿通孔２６にイメージガイドファイババンドル３０を通す際の状態を示している。
【００１９】
イメージガイドファイババンドル３０は、マルチルーメンチューブ２４のイメージガイド挿通孔２６にできるだけ多数の光学繊維を通せるように、外装チューブが被覆されておらず、光学繊維が露出している。
【００２０】
ただし、手元寄りの可撓管２２内に位置する部分では、イメージガイドファイババンドル３０に外装チューブを被覆してもよい。また、イメージガイドファイババンドル３０の先端側の部分は、金属パイプ製の口金３３内に通されて接着剤で固められている。
【００２１】
マルチルーメンチューブ２４のイメージガイド挿通孔２６にイメージガイドファイババンドル３０を通す際には、その前に、まずイメージガイドファイババンドル３０の先端面３０ａに対物レンズの第三レンズ４３の裏面を接合する。接着剤としては、光学用エポキシ系接着剤等を用いる。
【００２２】
次いで、第三レンズ４３の表面に、牽引ワイヤ１００の端部を接着により固定する。牽引ワイヤ１００は、例えば軟質金属製の単線であり、イメージガイド挿通孔２６の内径より細い外径のものが用いられる。
【００２３】
接着剤１０１としては何を用いてもよいが、イメージガイドファイババンドル３０と第三レンズ４３との接合に用いられている接着剤と異なる種類のものを用いれば、剥離させるために溶剤を用いたとき、イメージガイドファイババンドル３０と第三レンズ４３との接着を剥がす恐れがなくて好ましい。
【００２４】
また接合力は、イメージガイドファイババンドル３０と第三レンズ４３との接合部と第三レンズ４３と牽引ワイヤ１００との接合部とで極端な差のないことが好ましい。大きな差があると、牽引ワイヤ１００を引っ張った時に弱い方の接合部が剥がれてしまう恐れがある。
【００２５】
このようにして、第三レンズ４３に接着された牽引ワイヤ１００を、図１に示されるようにマルチルーメンチューブ２４のイメージガイド挿通孔２６に通して引っ張ると、図２に示されるように、イメージガイドファイババンドル３０が第三レンズ４３と共にマルチルーメンチューブ２４のイメージガイド挿通孔２６内に通される。
【００２６】
そして、イメージガイドファイババンドル３０がイメージガイド挿通孔２６を通過したら、第三レンズ４３と牽引ワイヤ１００を接合している接着剤１０１を溶剤である程度溶かしてから、牽引ワイヤ１００を第三レンズ４３の表面から機械的に剥離させ、その後、イメージガイドファイババンドル３０の先端部分を先端部本体２３の孔２８に差し込んで組み付ける。
【００２７】
このようにして、イメージガイドファイババンドル３０をマルチルーメンチューブ２４のイメージガイド挿通孔２６に通すために引っ張られる牽引ワイヤ１００を、イメージガイドファイババンドル３０に接合された対物レンズ４３に接着により取り付けたので、その後で牽引ワイヤ１００を剥がす作業を行っても、イメージガイドファイババンドル３０の先端面（像入射端面）３０ａに傷が付く恐れがない。
【００２８】
仮に、第三レンズ４３の先端面に多少の傷が付いても、その面はピント面ではないので内視鏡観察像中ではさほど目立たない。また、第三レンズ４３が硬いガラス製であれば、牽引ワイヤ１００を剥離させる際に傷が付く可能性も小さい。
【００２９】
なお、本発明は上記実施の形態に限定されるものではなく、例えばマルチルーメンチューブ２４が挿入部２１全体を形成していてもよく、本発明をイメージガイドファイババンドル３０ではなくライトガイドファイババンドルに適用してもよい。
【００３０】
【発明の効果】
本発明によれば、光学ファイババンドルを牽引するための牽引ワイヤを光学ファイババンドルの先端面に接合されたレンズの表面に接合し、牽引ワイヤをマルチルーメンチューブの貫通孔内に通して引っ張ることにより光学ファイババンドルをマルチルーメンチューブの貫通孔内に通し、その後、牽引ワイヤをレンズの表面から取り外すようにしたことにより、光学ファイババンドルの端面に傷が付く恐れが全くなくなり、歩留りのよい組み立てが可能となる。
【図面の簡単な説明】
【図１】本発明の実施の形態の工程図である。
【図２】本発明の実施の形態の工程図である。
【図３】本発明の実施の形態のベビースコープの外観図である。
【図４】本発明の実施の形態の親子式内視鏡の使用状態を示す略示図である。
【図５】本発明の実施の形態のベビースコープの先端部の側面断面図である。
【図６】本発明の実施の形態のベビースコープの先端部の正面図である。
【符号の説明】
２０  ベビースコープ
２４  マルチルーメンチューブ
２６  イメージガイドファイバ挿通孔（貫通孔）
３０  イメージガイドファイババンドル
４３  第三レンズ
１００  牽引ワイヤ
１０１  接着剤
【図１】
0003637144.tif 000002
【図２】
0003637144.tif 000003
【図３】
0003637144.tif 000004
【図４】
0003637144.tif 000005
【図５】
0003637144.tif 000006
【図６】
0003637144.tif 000007